【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
マイクロ波加熱装置であって：
(a) ベンドセグメントと、照射チャンバを画定する複数のねじれた方形導波部とを含み、前記照射チャンバが第１端部及び第２端部を有し、複数のねじれた方形導波部によりその長手方向に沿ってマイクロ波の垂直場パターンを回転させる導波管；
(b) 該導波管を通じ、前記照射チャンバに沿って伝播方向に伝播するマイクロ波を生成するマイクロ波エネルギ源；
(c) 前記導波管に取り付けられ、前記照射チャンバの第１端と連結する第１ポートと、前記照射チャンバの第２端に取り付けられ、照射チャンバと連結する第２ポート；並びに、
(d) 前記導波管内においてマイクロ波で加熱すべき物体を搬送するための搬送手段、を備え、該搬送手段が、搬送路に沿って照射チャンバを通過し、前記第１及び第２ポートの一方を通じて導入されると共に、前記第１及び第２ポートの他方を通じて導出される、マイクロ波加熱装置。
【請求項２】
前記搬送手段が、前記第１ポートに導入されると共に前記第２ポートから導出され、前記マイクロ波の伝播方向が搬送路と同方向である、又は、
前記加熱装置は、少なくとも２つの入口ポート、少なくとも２つの出口ポート、対応する少なくとも２つの可撓ベルト、及び該少なくとも２つのベルトをそれらの断面においてカール形状に変形させるための、対応する少なくとも２つの手段を含む、又は、
前記搬送手段が、一対の駆動プーリと該駆動プーリ間に延在する可撓ベルトとを備え、該可撓ベルトを前記駆動プーリによって駆動方向に駆動する搬送ベルトシステムであり、さらに、前記加熱装置は、前記可撓ベルトが前記照射チャンバを通過するに伴い、その断面をカール形状に変形させて維持する手段を更に備え、該手段の第１部分が前記第１ポートと関連し、該手段の第２部分が前記第２ポートと関連する、又は、
凹部表面の入口端が円弧形状断面を有し、該入口端の円弧形状の曲率半径が、前記出口端の円弧形状の曲率半径よりも大きく、且つ円弧形状の前記出口端の凹部が少なくとも120°の円弧を有する、又は、
前記搬送手段が、ポリスルホン又はポリプロピレンにより被膜されるガラス繊維ベルトを含み、又は、
前記搬送手段が、側面支持パネルを含む前記プラスチックリンクベルトを含む、請求項１に記載の加熱装置。
【請求項３】
前記加熱装置は、前記照射チャンバに沿って断続的に配置される複数の同一のベルト支持手段を更に備え、各支持手段が、カール形状に変形させたベルトを支持する支持面を含み、該支持面が円弧形状断面を有し、前記ベルトの断面をカール形状に変形させる手段が、凹部を有する成形ブロックを備え、該凹部の表面が入口端及び出口端を有し、該凹部表面の出口端が、テーパーを付した円弧形状断面を有する、又は、
前記加熱装置は、加熱すべき物体を前記搬送手段上及び前記導波管内に配置する前に、該物体の速度を減速させるステージングシステムを含み、該ステージングシステムが、搬送された物体を前記搬送手段の横方向中心点に更に位置決めし、前記ステージングシステムにおいて、
前記ステージングシステムが、前記導波管に恒久的に取り付けられて該導波管の一部を形成し、前記搬送手段の第１端と関連する一対の開口ガイドレール、及び該ガイドレールと関連する一対の離間サイドレールを備え、前記ガイドレールが、前記搬送手段に物体を導いて減速させ、前記サイドレールが、前記物体の速度を更に減速させ、該物体を前記第１ポートに導入するよう位置決めし、各サイドレールが一組として配置した同一の回転ベルトを備える、又は、
前記ステージングシステムは可搬型であって、前記導波管の入口ポートと密接に関連するように移動させることができ、該可搬型ステージングシステムは、可動フレームと、該フレームに取り付けられた一対の同一のアームとを備え、各アームが、物体を減速させ、かつ該物体を前記搬送手段上に配置するよう、該アームに取り付けられた同一のベルト駆動システムを有し、前記駆動システムが共通の駆動モータにより駆動され、前記駆動ベルトシステムが、互いに離間した一対のプーリ周りを回転する前記アームの長さに沿って延在する減速ベルトを備える、請求項１に記載の加熱装置。
【請求項４】
加熱装置であって：
(a) マイクロ波を通過させる方形断面の上側導波チャンバと、細長いプレートにより該上側導波チャンバから分離された下側導波チャンバとを含み、該細長いプレートが、前記上側導波チャンバから前記下側照射チャンバへマイクロ波エネルギを伝導するよう、長手方向に形成された複数のスロットを有し、第１端から第２端まで前記マイクロ波の伝播方向に延在する導波管；
(b) 前記上側導波チャンバを通じて伝播するマイクロ波を生成するマイクロ波エネルギ源；
(c) 前記第１端にて前記下側照射チャンバに導入される第１ポートと、前記第２端にて前記下側照射チャンバから導出される第２ポート；
(d)マイクロ波の伝播方向における搬送路に沿って前記下側照射チャンバを通過し、前記第１ポートを通じて導入されると共に、前記第２ポートを通じて導出される可撓ベルト；並びに、
(e) 前記可撓ベルトが前記照射チャンバを通過するのに伴い、その断面をカール形状に変形させて維持する手段を備える、マイクロ波加熱装置。
【請求項５】
複数のスロットが、長手方向中心線の両面に沿って千鳥形配列となるように離間して配置され、スロットの中心線間の間隔が、９１５ＭＨｚにて約６．４５インチ、又は２．４５ＧＨｚにて２．５インチである、請求項４に記載の加熱装置。
【請求項６】
加熱装置であって：
(a) 照射チャンバを含み、方形導波部が第１端から第２端まで前記マイクロ波の伝播方向に延在する導波管；
(b) 該導波管を通じ、前記照射チャンバに沿って伝播方向に伝播するマイクロ波を生成するマイクロ波エネルギ源；
(c) 伝播する前記マイクロ波の垂直場を、前記照射チャンバの横断面内におけるマイクロ波エネルギの均一性を高める変更パターンに誘導し、又は歪ませるよう、前記照射チャンバから長手方向に沿って延在する少なくとも１つの金属リッジ部；
(d) 前記第１端にて前記照射チャンバに導入される第１ポートと、前記第２端にて前記下方照射チャンバから導出される第２ポート；
(e) 搬送路に沿ってマイクロ波の伝播方向にて前記照射チャンバを通過し、前記第１ポートを通じて導入されると共に、前記第２ポートを通じて導出される可撓ベルト；並びに、
(f) 前記可撓ベルトが前記照射チャンバを通過するのに伴い、その断面をカール形状に変形させて維持する手段を備える、マイクロ波加熱装置。
【請求項７】
前記加熱装置において、前記少なくとも１つの金属リッジ部が、鏡像的に対向する一対のリッジ部を備え、該リッジ部が前記照射チャンバの中心線の対向面上に配置され、前記加熱装置が、さらに、前記中心線からの前記金属リッジ部の位置を調整する手段を備える、又は、
前記加熱装置において、一対の前記金属リッジ部が鏡像的に配置され、各金属リッジ部が、主角度表面を有し、該主角度表面が前記中心線に対向するように配置される、請求項６に記載の加熱装置。
【請求項８】
産業用マイクロ波加熱装置においてマイクロ波活性材料で構成された物体を製造する方法であって：
i) マイクロ波活性材料を備え、コップ容器の頂部開口部を画定する上部縁を含む、複数の未処理コップ容器を準備するステップ；
ii) 前記未処理コップ容器を、上側表面を有する連続搬送ベルトまで移送するステップ；
iii)前記搬送ベルトをその横方向にカールさせてカール形状ベルトを形成するステップ；
iv) 前記カール形状ベルトと、該ベルト上に配置される未処理コップ容器とを、産業用マイクロ波加熱装置の導波管内を通過させるステップ；
v) 前記導波管を通じてマイクロ波を伝播させてマイクロ波活性材料をマイクロ波エネルギにより活性化させることにより処理済みコップ容器を形成するステップ；
vi) 前記カール形状ベルト及び処理済みコップ容器を前記導波管から取り出すステップ；並びに、
vii) 前記搬送ベルトを巻き戻して前記処理済みコップ容器を解放するステップ、を備える方法。
【請求項９】
前記産業用マイクロ波加熱装置が、前記方形導波部の長手方向に沿ってマイクロ波の垂直場パターンを回転させるための、複数のねじれた方形部を備え、さらに、複数のねじれた前記方形部が、互いに90°ねじれた奇数個の方形部を備える、請求項８に記載の方法。
【請求項１０】
マイクロ波エネルギ源及び照射チャンバを含む産業用マイクロ波加熱装置において、物体を構成するマイクロ波活性材料のマイクロ波活性度を制御する方法であって：
i) 前記加熱装置の照射チャンバ内に所定時間に亘って配置される、前記マイクロ波活性材料で構成された物体の数量を判定するステップ；
ii) 前記所定時間の間に前記加熱装置から導出される処理済み物体の少なくとも１つの表面温度を測定するステップ；
iii) 測定した温度を、前記マイクロ波活性材料の適正な活性化を示す処理済み物体の目標温度と比較するステップ；並びに、
iv) 前記マイクロ波エネルギ源のエネルギ出力を、前記測定温度と前記目標温度との比較結果と、前記照射チャンバ内に配置される物体の数量とに応じて制御するステップ、を備える方法。